(57)【要約】【課題】  本発明は電気的なアースと挿入されたものを固定するラッチ機構を有するコンタクトである。【解決手段】  該コンタクトは回路基板に平行に位置する水平部材と、該水平部材に略垂直に延長して形成された垂直部材とを有している。さらにこの垂直部材から枝分かれしてアースとしての働きを持つアース部材が形成されている。また、垂直部材からさらに延長して形成されているラッチ部材を有している。これらの部材は一体となって形成されており、導電性を有する。【選択図】  図１
2007018938.tif 000002
【特許請求の範囲】
【請求項１】
回路基板に平行に延長し電気的な接触を図る水平部分と、該水平部分に対して略垂直に延長した垂直部分と、該垂直部分から分岐して延長した電気的にアースをとる接地部分と、該垂直部分から延長された弾性部分と該弾性部分から延長されている係止部分を有する第１の接続部分であって、前記水平部分、垂直部分、接地部分、弾性部分、および係止部分が一体となって形成されており、電気的接続とモジュールのラッチを行う装置。
【請求項２】
モジュール用のカバーシールドが接地部分と電気的に接続して該モジュールをシールドする請求項１に記載の装置。
【請求項３】
請求項１または２に記載のコンタクトの少なくとも一部が埋め込まれているモジュール用ソケット。
【発明の詳細な説明】
【技術分野】
【０００１】
本発明はハウジングにモジュールを挿入したときに、該モジュールを係止すると共にカバーシールドと電気的に接続されアースの機能も有するコンタクトと、該コンタクトを有するコネクタに関する。
【背景技術】
【０００２】
携帯電話等に搭載されるカメラはモジュールとして構成されており、電気的、機械的部品がケースの中に組み込まれており複数のコンタクトを有している。このようなモジュールは対応するコンタクトを有するコネクタに挿入される。
【０００３】
このようなモジュールは静電気による性能への悪影響を避けるために静電シールドを行うカバーシールドに覆われる。該カバーシールドは、いわゆるＥＭＩ（Electro Magnetic Interference）として知られている電磁的な妨害や干渉を避ける、または低減する機能を有している。
【特許文献１】特開２００４−６３４２５号公報
【発明の開示】
【発明が解決しようとする課題】
【０００４】
上記のような静電シールドをより効果的に行うには該カバーシールドをアースと電気的に接続する。このためにアース用のコンタクトが必要となる。さらに、モジュールをハウジング内に固定する機能も必要である。よって上記のようにシールドの効果のほかに、モジュールをハウジング内で固定する機能も必要である。モジュールの固定とシールド効果を共に実現し、さらに小型の機器でも使用できるように、例えば１つの部品でモジュールの固定と静電シールドを実現できるコンタクトが好ましい。
【課題を解決するための手段】
【０００５】
このような問題を解決するために、本発明は回路基板に平行に延長し電気的な接触を図る水平部分と、該水平部分に対して略垂直に延長した垂直部分と、該垂直部分から分岐して延長した電気的にアースをとる接地部分と、該垂直部分から延長された弾性部分と該弾性部分から延長されている係止部分を有するコンタクトであって、前記水平部分、垂直部分、接地部分、弾性部分、および係止部分が一体となって形成されており、電気的接続と該コンタクトに接触するモジュールのラッチを行うコンタクトを提供する。このようなコンタクトは１つのコンタクトでモジュールをラッチし固定すると共に、接地部分がアースをとることができる。よって少ない部品、または狭い領域でモジュールの固定と静電シールドの２つを行うことができる。
【０００６】
本発明はさらに、カバーシールドがアースをとるための接地部分と電気的に接続されているコンタクトを提供する。これによってモジュールの静電シールドをより効果的に行うことができる。さらに、このようなコンタクトの少なくとも一部がハウジング内に埋め込まれているモジュール用ソケットを提供する。これによってモジュールの固定と静電シールドを行うコネクタを提供することができる。
【発明を実施するための最良の形態】
【０００７】
以下に本発明を図を用いて説明する。図１（ａ）、（ｂ）は本発明のコンタクトＣを２通りの方向から見た斜視図であり、これらを用いて該コンタクトの構造を説明する。詳細は後述するが回路が形成されるプリント回路基板に平行に延長された水平部分１と、該水平部分１に略垂直に延長された垂直部分２を有している。垂直部分は必ずしも９０度の角である必要はなく、水平部分１より上方に延長されていればよい。また、垂直部分２は途中から分岐して延長され、電気的にアースをとる部分である接地部分３と、垂直部分２がさらに延長されている弾性部分４を有しており、該弾性部分４からは係止部分５が延長している。また、弾性部分４は基板（図示しない）に対して９０度ではなく傾斜を有している。よって弾性部分４は垂直部分２の方向に押圧されたときに抗力を発揮する。詳細は後述するが、カバーシールドに確実に接触するように、接地部分３も水平部分１に対して垂直ではない。また、詳細は後述するが他の実施例として係止部分５を形成せずに、弾性部分４をさらに延長し、モジュールの対応する部分に当接するように形成することもできる。
【０００８】
次にこのような構造のコンタクトがハウジングに設置された状態を説明する。図２は本発明のコンタクトＣがハウジング８に設置された状態を示している。ハウジング８には信号用のコンタクト６も設置されている。図示したようにコンタクトＣは垂直部分２がハウジング８の壁７に埋め込まれた状態で設置される。このとき弾性部分４および係止部分５はハウジング８の内部に位置し、接地部分３はハウジング８の外に位置する。また、本発明のコンタクトＣはハウジングの角の部分に設置されている。しかしながら、設置場所はこれに限定されるものではなく、当業者であれば適宜変更することができ、これらの変更も全て本発明に含まれる。また、このようにハウジングに延出部分を埋め込むようにコネクタを製造するにはインサートモールド法が好適である。これによって例えば図２に示されているように第１の接続部分３の垂直部分２がハウジング８の壁７に埋め込まれた構造にすることができる。
【０００９】
このようなコンタクトＣが接地と係止の両方の機能を有することを次に説明する。図３は本発明のコンタクトＣを有するハウジング８にモジュール９が挿入されている状態を示した図である。本図では図示されていないがモジュール９は係止部分５によってモジュール９の切り欠き部分１０を「押さえる」状態で係止される。モジュール９の角に位置する切り欠き部１０に係止部分５が位置している状態を図４に示した。図のように切り欠き部１０はモジュール９の角が切り取られたようにくぼみ状の形状を有しており、該切り欠き部１０に係止部分５が位置している。これによって例えば振動等によってモジュール９が上方１１に移動しようとした場合、係止部分５が切り欠き部１０の底部１２に当接するため、モジュール９の上方への移動は停止する。
【００１０】
図５には本発明のコンタクトＣの他の実施例を示した。図のように係止部分５の代わりに、弾性部分４がさらに延長されている。これによっても、切り欠き部１０の底部１２に当接してモジュール９を係止することができる。
【００１１】
図６にはモジュール９を係止する際の他の実施例を示した。本図は弾性部分４を含む縦方向の断面図である。図から明らかなように、係止部分５の下方のモジュール９に突起１３を設けることによっても本発明の係止部分５を機能させることができる。この場合、モジュール９が上方１１に移動したとき、突起１３の上部の面が係止部分５と当接しモジュール９の移動を停止させるため、該面が底部１２となる。
【００１２】
次に接地に関して説明する。本発明のコンタクトＣはカバーシールドと電気的に接触して接地、いわゆるアースをとる機能も有している。図７にはハウジング８にカバーシールド１４が取り付けられた状態での、接地部分３を含む縦方向の断面図を示した。図示したように接地部分３の接地片３´がカバーシールド１４と接触している。接触している部分はカバーシールド１４の内面であることは当業者であれば明らかに理解できる。
【００１３】
本発明のコンタクトは接地部分３を含め一体として形成されているため接地部分３は水平部分１と電気的に導通している。図８は本発明のコンタクトＣが基板１６と接続している状態の断面図を示している。図示したようにコンタクトＣはハウジング８の壁部７にその一部が埋め込まれており、本実施例では垂直部分２が埋め込まれている。よって水平部分１が壁部７から突出しており、該水平部分１は基板１６に形成された基板側コンタクト１５と接触している。また、垂直部分２と水平部分１の間の屈曲した領域は、壁部７に埋め込まれることが好ましい。通常、プリント回路基板１６は上方向１１、つまり上面１７に回路となる導体が形成されるが、本実施例では基板の下面１８側に形成されている。よってコンタクトＣは基板の下面で電気的に接触していることになる。
【００１４】
このような構造によって本発明のコンタクトＣは接地と係止の両方を行うことができ、小さい領域に多くのコンタクトを配置し、さらにハウジング８に挿入されるモジュール９を係止することもできる。
【図面の簡単な説明】
【００１５】
【図１】（ａ）、（ｂ）は本発明のコンタクトを異なる方向から見た斜視図である。
【図２】本発明のコンタクトと、信号用のコンタクトがハウジングに接地された状態を示した図である。
【図３】本発明のコンタクトを有するハウジングにモジュールが挿入された状態の斜視図である。
【図４】コンタクトの係止部がモジュールの切り欠き部に位置している状態の斜視図である。
【図５】係止部の代わりに弾性部分が延長されている構造を示した図である。
【図６】モジュールを係止する部分の他の実施例である。
【図７】接地部分がカバーシールドと接触している状態を示した断面図である。
【図８】コンタクトが基板の下面で電気的に接触している状態を示した断面図である。
【符号の説明】
【００１６】
１  水平部分
２  垂直部分
３  接地部分
４  弾性部分
５  係止部分
６  信号用コンタクト
７  壁部
８  ハウジング
９  モジュール
１０  切り欠き
１１  上方向
１２  底部
１３  突起
１４  カバーシールド
１５  基板側コンタクト
１６  基板
１７  上面
１８  下面
【図１】
2007018938.tif 000003
【図２】
2007018938.tif 000004
【図３】
2007018938.tif 000005
【図４】
2007018938.tif 000006
【図５】
2007018938.tif 000007
【図６】
2007018938.tif 000008
【図７】
2007018938.tif 000009
【図８】
2007018938.tif 000010